(57)【要約】【課題】  圧縮機外へ漏出した潤滑油が動力伝達機構のプーリーを回転可能に支持する軸受に付着するのを防止する手段を備える開放型圧縮機を提供する。【解決手段】  開放型圧縮機の動力伝達機構は外部駆動源に作動係合すると共にハウジングのボス部に外嵌固定された軸受により回転可能に支持されたプーリーを有し、回転軸の一端はボス部を貫通してハウジング外へ延び、ボス部貫通穴と当該貫通穴に挿通された回転軸との間の隙間をシールする軸封装置が配設され、ボス部貫通穴の軸封装置よりも外部環境側の部位にオイル吸着用のフェルトリングが嵌入され、フェルトリングを固定する筒体がフェルトリングに嵌入され、筒体はフェルトリングに嵌入される小径筒部とボス部貫通穴の外部環境側端部に圧入固定される大径筒部と両者を連結する環状板部とを有し、大径筒部の外部環境側端部にボス部端面に対峙するボス部端面の外径よりも大径の外フランジが形成されている。【選択図】  図１
2007162536.tif 000002
【特許請求の範囲】
【請求項１】
回転軸と、回転軸により駆動される圧縮機構と、回転軸と圧縮機構とを収容するハウジングと、外部駆動源の駆動力を回転軸に伝達する動力伝達機構とを備え、動力伝達機構は外部駆動源に作動係合すると共にハウジングのボス部に外嵌固定された軸受により回転可能に支持されたプーリーを有し、回転軸の一端はハウジングのボス部を貫通してハウジング外へ延び、ハウジングのボス部貫通穴と当該貫通穴に挿通された回転軸との間の隙間をシールする軸封装置が配設され、ハウジングのボス部貫通穴の軸封装置よりも外部環境側の部位にオイル吸着用のフェルトリングが嵌入され、フェルトリングを固定する筒体がフェルトリングに嵌入され、筒体はフェルトリングに嵌入される小径筒部とハウジングのボス部貫通穴の外部環境側端部に圧入固定される大径筒部と両者を連結する環状板部とを有し、大径筒部の外部環境側端部にハウジングのボス部端面に対峙するボス部端面の外径よりも大径の外フランジが形成されていることを特徴とする開放型圧縮機。
【請求項２】
外フランジの外周縁部が、回転軸に沿ってハウジングのボス部から遠ざかる方向へ傾斜していることを特徴とする請求項１に記載の開放型圧縮機。
【発明の詳細な説明】
【技術分野】
【０００１】
本発明は、開放型圧縮機に関するものである。
【背景技術】
【０００２】
回転軸と、回転軸により駆動される圧縮機構と、回転軸と圧縮機構とを収容するハウジングと、外部駆動源の駆動力を回転軸に伝達する動力伝達機構とを備え、動力伝達機構は外部駆動源に作動係合すると共にハウジングのボス部に外嵌固定された軸受により回転可能に支持されたプーリーを有し、回転軸の一端はハウジングのボス部を貫通してハウジング外へ延び、ハウジングのボス部貫通穴と当該貫通穴に挿通された回転軸との間の隙間をシールする軸封装置が配設され、ハウジングのボス部貫通穴の軸封装置よりも外部環境側の部位にオイル吸着用のフェルトリングが嵌入され、フェルトリングを固定する筒体がフェルトリングに嵌入された開放型圧縮機が特許文献１に開示されている。
特許文献１の開放型圧縮機においては、軸封装置から僅かに漏出した圧縮機内潤滑油が、ハウジングのボス部貫通穴の軸封装置よりも外部環境側の部位に嵌入されたオイル吸着用のフェルトリングに吸着されることにより、前記潤滑油の圧縮機外への漏出が抑制されている。
【特許文献１】実開平２−１４５６９４
【発明の開示】
【発明が解決しようとする課題】
【０００３】
特許文献１の開放型圧縮機には、オイル吸着用のフェルトリングが飽和して、圧縮機内の潤滑油が圧縮機外へ漏出した時に、漏出した潤滑油がボス部外周面を伝って動力伝達機構のプーリーを回転可能に支持する軸受に付着するのを防止できず、潤滑油の付着により軸受のグリースが軟化して流出し、軸受の寿命が短くなるのを防止できないという問題がある。
本発明は、上記問題に鑑みてなされたものであり、ハウジングのボス部貫通穴の軸封装置よりも外部環境側の部位にオイル吸着用のフェルトリングが嵌入され、フェルトリングを固定する筒体がフェルトリングに嵌入された開放型圧縮機であって、フェルトリングが飽和して、圧縮機内の潤滑油が圧縮機外へ漏出した時に、当該潤滑油が動力伝達機構のプーリーを回転可能に支持する軸受に付着するのを防止する手段を備える開放型圧縮機を提供することを目的とする。
【課題を解決するための手段】
【０００４】
上記課題を解決するために、本発明においては、回転軸と、回転軸により駆動される圧縮機構と、回転軸と圧縮機構とを収容するハウジングと、外部駆動源の駆動力を回転軸に伝達する動力伝達機構とを備え、動力伝達機構は外部駆動源に作動係合すると共にハウジングのボス部に外嵌固定された軸受により回転可能に支持されたプーリーを有し、回転軸の一端はハウジングのボス部を貫通してハウジング外へ延び、ハウジングのボス部貫通穴と当該貫通穴に挿通された回転軸との間の隙間をシールする軸封装置が配設され、ハウジングのボス部貫通穴の軸封装置よりも外部環境側の部位にオイル吸着用のフェルトリングが嵌入され、フェルトリングを固定する筒体がフェルトリングに嵌入され、筒体はフェルトリングに嵌入される小径筒部とハウジングのボス部貫通穴の外部環境側端部に圧入固定される大径筒部と両者を連結する環状板部とを有し、大径筒部の外部環境側端部にハウジングのボス部端面に対峙するボス部端面の外径よりも大径の外フランジが形成されていることを特徴とする開放型圧縮機を提供する。
本発明に係る開放型圧縮機においては、圧縮機外へ漏出した潤滑油は、筒体の大径筒部の外部環境側端部に形成されハウジングのボス部端面に対峙するフランジを伝い、フランジの下縁から滴下するが、フランジの外径がボス部端面の外径よりも大径なので、潤滑油はボス部外周面には伝わらず、ボス部外周面を伝って動力伝達機構のプーリーを回転可能に支持する軸受に付着することも無い。従って、圧縮機内の潤滑油が圧縮機外へ漏出しても、動力伝達機構のプーリーを回転可能に支持する軸受の寿命は低下しない。
本発明に係る開放型圧縮機においては、ハウジングのボス部貫通穴の軸封装置よりも外部環境側の部位にオイル吸着用のフェルトリングが嵌入され、フェルトリングを固定する筒体がフェルトリングに嵌入された従来の開放型圧縮機に、筒体をフェルトリングに嵌入される小径筒部とハウジングのボス部貫通穴の外部環境側端部に圧入固定される大径筒部と両者を連結する環状板部とで形成し、大径筒部の外部環境側端部にハウジングのボス部端面に対峙するボス部端面の外径よりも大径の外フランジを形成するという僅かな改造を施すことにより、動力伝達機構のプーリーを回転可能に支持する軸受に、圧縮機から漏出した潤滑油が付着するのを防止している。
【０００５】
本発明の好ましい態様においては、外フランジの外周縁部が、回転軸に沿ってハウジングのボス部から遠ざかる方向へ傾斜している。
外フランジの外周縁部が、回転軸に沿ってハウジングのボス部から遠ざかる方向へ傾斜することにより、外フランジの外周とハウジングのボス部端面との間の距離が増加するので、圧縮機外へ漏出した潤滑油は、より一層ハウジングのボス部外周面に伝わり難くなり、より一層動力伝達機構のプーリーを回転可能に支持する軸受に付着し難くなる。
【発明の効果】
【０００６】
本発明に係る開放型圧縮機においては、圧縮機外へ漏出した潤滑油は、筒体の大径筒部の外部環境側端部に形成されハウジングのボス部端面に対峙するフランジを伝い、フランジの下縁から滴下するが、フランジの外径ボス部端面の外径よりも大径なので、潤滑油はボス部外周面には伝わらず、当該外周面を伝って、動力伝達機構のプーリーを回転可能に支持する軸受に付着することも無い。従って、圧縮機内の潤滑油が圧縮機外へ漏出しても、動力伝達機構のプーリーを回転可能に支持する軸受の寿命は低下しない。
本発明に係る開放型圧縮機においては、ハウジングのボス部貫通穴の軸封装置よりも外部環境側の部位にオイル吸着用のフェルトリングが嵌入され、フェルトリングを固定する筒体がフェルトリングに嵌入された従来の開放型圧縮機に、筒体をフェルトリングに嵌入される小径筒部とハウジングのボス部貫通穴の外部環境側端部に圧入固定される大径筒部と両者を連結する環状板部とで形成し、大径筒部の外部環境側端部にハウジングのボス部端面に対峙するボス部端面の外径よりも大径の外フランジを形成するという僅かな改造を施すことにより、動力伝達機構のプーリーを回転可能に支持する軸受に、圧縮機から漏出した潤滑油が付着するのを防止している。
【発明を実施するための最良の形態】
【０００７】
本発明の実施例に係る開放型圧縮機を説明する。
図１に示すように、開放型圧縮機１００は、回転軸１と、回転軸１により駆動される図示しない圧縮機構と、回転軸１と圧縮機構とを収容するハウジング２と、外部駆動源の駆動力を回転軸に伝達する電磁クラッチ３とを備えている。電磁クラッチ３は、図示しない無端ベルトを介して図示しない外部駆動源に作動係合するプーリー３ａを有している。プーリー３ａは、ハウジング２のボス部２ａに外嵌固定された軸受４により回転可能に支持されている。
【０００８】
回転軸１の一端は、ハウジング２のボス部２ａを貫通してハウジング２外へ延びている。ハウジング２のボス部貫通穴２ｂと当該貫通穴２ｂに挿通された回転軸１との間の隙間をシールする軸封装置５が配設されている。
ボス部貫通穴２ｂの軸封装置５よりも外部環境側の部位に、オイル吸着用のフェルトリング６が嵌入されている。フェルトリング６を固定する筒体７がフェルトリング６に嵌入されている。筒体７は、フェルトリング６の外部環境側端部に嵌入される小径筒部７ａと、ボス部貫通穴２ａの外部環境側端部に圧入固定される大径筒部７ｂと、両者を連結する環状板部７ｃとを有している。大径筒部７ｂの外部環境側端部に、ボス部２ａの端面に対峙するボス部２ａの端面の外径よりも大径の外フランジ７ｄが形成されている。外フランジ７ｄの外周縁部は、回転軸１に沿ってハウジングのボス部２ａから遠ざかる方向へ傾斜している。
【０００９】
プーリー３ａのハウジング２に対峙する端面に環状溝３ｂが形成され、環状溝３ｂ内且つ環状溝３ｂの壁面から隙間を隔てて、コイル３ｃを内蔵するコイルケース３ｄが配設されている。コイルケース３ｄは環状部材３ｅを介して、ハウジング２に固定されている。環状溝３ｂの底壁に対峙して、環状のアーマチュア３ｆが配設されている。アーマチュア３ｆに円環部材３ｇが固定されている。円環部材３ｇは円環状のゴムダンパー３ｈを介して、ハブ３ｉに固定されている。ハブ３ｉは、中心部にボス３ｊを有する円板であり、ボス３ｊの内周面にセレーション又はスプラインが形成されている。ボス３ｊは、周側面にセレーション又はスプラインが形成された回転軸１の端部にセレーション結合又はスプライン結合している。回転軸１の先端はハブ３ｊの中心を貫通しており、ハブ３ｊは、回転軸１の先端部に螺合するナット８を用いて回転軸１に固定されている。
【００１０】
開放型圧縮機１００においては、図示しない外部駆動源から電磁クラッチ３のプーリー３ａに回転動力が伝達される。電磁クラッチ３のコイル３ｃが通電され、発生した磁力に吸引されてアーマチュア３ｆがプーリーに形成された環状溝３ｂの底壁に密着する。プーリー３ａの回転がアーマチュア３ｆと円環部材３ｇとゴムダンパー３ｈとを介してハブ３ｉに伝達される。ハブ３ｉの回転が、セレーション係合部又はスプライン結合部を介して回転軸１に伝達され、回転軸１により図示しない圧縮機構が作動する。
電磁クラッチ３のコイル３ｃへの通電が停止される。磁力が消滅し、ゴムダンパー３ｈと円環部材３ｇとを介してハブ３ｉの弾性力を受けたアーマチュア３ｆが、プーリーに形成された環状溝３ｂの底壁から離れる。この結果、外部駆動源から回転軸１への回転動力の伝達が停止し、圧縮機構の作動が停止する。
【００１１】
軸封装置５により、ハウジング２内のガスや潤滑油のハウジング２外への漏出が抑制される。軸封装置５から僅かに漏出したハウジング２内の潤滑油が、ボス部貫通穴２ｂの軸封装置５よりも外部環境側の部位に嵌入されたオイル吸着用のフェルトリング６に吸着されることにより、前記潤滑油のハウジング２外への漏出が抑制される。
軸封装置５から僅かに漏出したハウジング２内の潤滑油は、オイル吸着用のフェルトリング２が飽和すると、ハウジング２外へ漏出する。ハウジング２外へ漏出した潤滑油は、筒体７の大径筒部７ｂの外部環境側端部に形成されハウジングのボス部２ａの端面に対峙する外フランジ７ｄを伝い、外フランジ７ｄの下縁から滴下するが、外フランジ７ｄの外径はボス部２ａの端面の外径よりも大径なので、潤滑油はボス部２ａの外周面には伝わらず、当該外周面を伝って、電磁クラッチ３のプーリー３ａを回転可能に支持する軸受４に付着することも無い。従って、ハウジング２内の潤滑油がハウジング２外へ漏出しても、電磁クラッチ３のプーリー３ａを回転可能に支持する軸受４の寿命は低下しない。大径筒部７ｂはボス部貫通穴２ｂに圧入固定されているので、大径筒部７ｂとボス部貫通穴２ｂ囲壁との当接部を通って潤滑油がボス部２ａの外周面に伝わるおそれは無い。
開放型圧縮機１００においては、ハウジング２のボス部貫通穴２ｂの軸封装置５よりも外部環境側の部位にオイル吸着用のフェルトリング６が嵌入され、フェルトリング６を固定する筒体７がフェルトリング６に嵌入された従来の開放型圧縮機に、筒体７を、フェルトリング６の外部環境側端部に嵌入される小径筒部７ａと、ハウジング２のボス部貫通穴２ｂの外部環境側端部に圧入固定される大径筒部７ｂと、両者を連結する環状板部７ｃとで形成し、大径筒部７ｂの外部環境側端部に、ハウジング２のボス部２ａの端面に対峙するボス部２ａの端面の外径よりも大径の外フランジ７ｄを形成するという僅かな改造を施すことにより、電磁クラッチ３のプーリー３ａを回転可能に支持する軸受４に、ハウジング２から漏出した潤滑油が付着するのを防止している。
【００１２】
開放型圧縮機１００においては、外フランジ７ｄの外周縁部が、回転軸１に沿ってハウジングのボス部２ａから遠ざかる方向へ傾斜しており、外フランジ７ｄの外周とハウジングのボス部２ａの端面との間の距離が、外フランジ７ｄの外周縁部が傾斜していない場合に比べて増加しているので、ハウジング２外へ漏出した潤滑油は、より一層ハウジングのボス部２ａの外周面に伝わり難くなり、より一電磁クラッチ３のプーリー３ａを回転可能に支持する軸受４に付着し難くなっている。
【産業上の利用可能性】
【００１３】
本発明は、圧縮機構の如何に係わらず、開放型圧縮機に広く利用可能である。
【図面の簡単な説明】
【００１４】
【図１】本発明の実施例に係る開放型圧縮機の部分断面図である。
【符号の説明】
【００１５】
１  回転軸
２  ハウジング
２ａ  ボス部
３  電磁クラッチ
４  軸受
５  軸封装置
６  フェルトリング
７  筒体
７ｄ  外フランジ
８  ナット
【図１】
2007162536.tif 000003